(57)【要約】      （修正有）【課題】応答性を向上させつつ、油圧室を目標圧に収束させることのできる油圧制御装置を提供する。【解決手段】開閉弁は、油圧室に圧油を供給するための増圧用開閉弁と前記油圧室から圧油を排出するための減圧用開閉弁とを有し、増圧する場合には目標圧となるように前記増圧用開閉弁を開弁動作させ、目標圧よりも相対的に低く設定された閾値まで実際の圧力が上昇したのちに閉弁動作させ、減圧する場合には目標圧となるように前記減圧用開閉弁を開弁動作させ、目標圧よりも相対的に高く設定された閾値まで実際の圧力が下降したのちに閉弁動作させる。【選択図】図１
2011163393.tif 000002
【特許請求の範囲】
【請求項１】
開閉弁と、その上流側と下流側とにそれぞれ連通される油路と、下流側に設けられた油路の開閉弁に連通された一方端とは反対側の他方端に連通される油圧室とを備えた油圧制御装置において、
前記開閉弁は、前記油圧室に圧油を供給するための増圧用開閉弁と前記油圧室から圧油を排出するための減圧用開閉弁とを有し、増圧する場合には目標圧となるように前記増圧用開閉弁を開弁動作させ、目標圧よりも相対的に低く設定された閾値まで実際の圧力が上昇したのちに閉弁動作させ、減圧する場合には目標圧となるように前記減圧用開閉弁を開弁動作させ、目標圧よりも相対的に高く設定された閾値まで実際の圧力が下降したのちに閉弁動作させることを特徴とする油圧制御装置。
【請求項２】
前記閾値は目標圧に安全率が掛けられたものとなっており、実際の圧力が前記閾値に到達したのちに閉弁動作させる制御を行うことを特徴とする請求項１に記載の油圧制御装置。
【請求項３】
前記減圧する場合の前記閾値は、減圧時の場合に実際の圧力が降下する速度である圧力降下速度と前記減圧用開閉弁の動作速度とから設定されることを特徴とする請求項１または２に記載の油圧制御装置。
【請求項４】
前記減圧する場合における実際の圧力の降下度合いが基準値より小さい場合には、前記減圧用開閉弁を閉弁動作させることのみで減圧を行うことを特徴とする請求項１ないし３のいずれかに記載の油圧制御装置。
【請求項５】
動力が伝達される入力軸に設けられた駆動プーリと、この駆動プーリに対向する位置に備えられた従動プーリと、前記２つのプーリに巻き掛けられ、駆動力源からの出力トルクを伝達するベルトとを備えたベルト式無段変速機を制御するために設けられ、前記各プーリに形成され、油圧により前記ベルトに対して押圧力を付与する油圧室と、該各油圧室に連通される供給排出経路と、この供給排出経路に設けられて、前記油圧室内の油圧を調整する開閉弁とからなるベルト式無段変速機の制御装置において、
前記開閉弁は増圧用開閉弁と減圧用開閉弁とを有し、増圧する場合には変速比に応じた目標圧となるように前記増圧用開閉弁を開弁動作させ、目標圧よりも相対的に低く設定された閾値まで実際の圧力が上昇したのちに閉弁動作させ、減圧する場合には変速比に応じた目標圧となるように前記減圧用開閉弁を開弁動作させ、目標圧よりも相対的に高く設定された閾値まで実際の圧力が下降したのちに閉弁動作させることを特徴とするベルト式無段変速機の制御装置。
【請求項６】
前記閾値は目標圧に安全率が掛けられたものとなっており、実際の圧力が前記閾値に到達したのちに閉弁動作させる制御を行うことを特徴とする請求項５に記載のベルト式無段変速機の制御装置。
【請求項７】
前記減圧する場合の前記閾値は、減圧時の場合に実際の圧力が降下する速度である圧力降下速度と前記減圧用開閉弁の動作速度とから設定されることを特徴とする請求項５または６に記載のベルト式無段変速機の制御装置。
【請求項８】
前記減圧する場合における実際の圧力の降下度合いが基準値より小さい場合には、前記減圧用開閉弁を閉弁動作させることのみで減圧を行うことを特徴とする請求項５ないし７のいずれかに記載のベルト式無段変速機の制御装置。
【発明の詳細な説明】
【技術分野】
【０００１】
この発明は、油圧室に圧油を供給および排出するための油圧制御装置およびベルト式無段変速機の制御装置に関するものである。
【背景技術】
【０００２】
一般に、車両には、駆動力源である内燃機関や電動機からの駆動力、すなわち出力トルクを車両の走行状態に応じた最適の条件で路面に伝達するために、駆動力源の出力側に変速機が設けられている。変速機には、変速比を無段階に制御する無段変速機と、変速比を段階的に制御する有段変速機とがある。無段変速機には、２つのプーリ、すなわち駆動力源からの駆動力が伝達されるプライマリプーリおよびプライマリプーリに伝達された出力トルクを変化させて出力するセカンダリプーリと、このプライマリプーリに伝達された駆動力をセカンダリプーリに伝達するベルトとにより構成されるベルト式無段変速機がある。
【０００３】
このプライマリプーリおよびセカンダリプーリは、平行に配置された２つのプーリ軸すなわちプライマリプーリ軸とセカンダリプーリ軸と、この両プーリの回転軸線方向にそれぞれ摺動する可動シーブ（プライマリ可動シーブ、セカンダリ可動シーブ）と、この２つの可動シーブに軸方向においてそれぞれ対向するとともに可動シーブとの間でＶ字形状の溝を形成する２つの固定シーブ（プライマリ固定シーブ、セカンダリ固定シーブ）と、ベルトに対して回転軸線方向に挟圧力を付与する挟圧力発生油圧室とにより構成されている。なお、ベルトは、プライマリプーリおよびセカンダリプーリのそれぞれに形成されるＶ字形状の溝に巻き掛けられている。
【０００４】
このベルト式無段変速機は、各挟圧力発生油圧室によりそれぞれの可動シーブが各プーリ軸上をその回転軸線方向に摺動し、プライマリプーリおよびセカンダリプーリのそれぞれに形成されるＶ字形状の溝の幅を変化させる。これにより、ベルトと、プライマリプーリおよびセカンダリプーリとの巻き掛け半径を無段階に変化させ、変速比を無段階に変化させるものである。つまり、駆動源からの出力トルクを無段階に変化させるものである。また、各挟圧力発生油圧室にオイルが供給および排出されてそれぞれの可動シーブが各プーリの回転軸線方向に摺動する構成である場合は、各挟圧力発生油圧室に供給および排出されるオイルの圧力を開閉弁などを用いて適宜に調圧してベルト式無段変速機を制御する。
【０００５】
特許文献１に示す無段変速機の変速制御装置は、油圧供給源と変速プーリとの間に設けられ、前記変速プーリに作動油を供給する第１シフト弁と、前記変速プーリとオイルパンとの間に設けられ、前記変速プーリから作動油を排出する第２シフト弁と、前記第１シフト弁と前記第２シフト弁とを同じ電気信号に基づいて制御する電子制御手段とを備えている。そのため、変速プーリに作動油を供給する第１シフト弁と、変速プーリから作動油を排出する第２シフト弁とを別個に設けるようにしたので、変速プーリに作動油を保持して変速比を一定に保つことが容易となる。また、第１シフト弁と第２シフト弁とは同じ電気信号に基づいて制御できるため、電気信号に対する第１シフト弁および第２シフト弁の作動特性を設定する際の調整作業が容易となる。
【０００６】
また、特許文献２に示すベルト式無段変速機では、プライマリプーリとセカンダリプーリとの実際の変速比と、車両の走行状態に応じて算出される目標変速比との変速比偏差に応じて目標プライマリ圧が設定される。変速制御弁はその電磁コイルに供給される電流に応じて開口面積を変化させてプライマリシリンダに供給される作動油の流量を調整する。開口面積を変化させてプライマリシリンダに供給される作動油の流量を調整する流量制御弁が用いられているため、不測の入力トルクに対する変速比安定性が保証され、目標変速比から最終的な目標プライマリ圧を求めることによって迅速に変速比を変化させることが可能となる。
【先行技術文献】
【特許文献】
【０００７】
【特許文献１】特開２００７−２２４９７４号公報
【特許文献２】特開２００３−２４０１１１号公報
【発明の概要】
【発明が解決しようとする課題】
【０００８】
ところで、上記のような従来のベルト式無段変速機においては、油圧制御が行われて変速比を変化させる。そのため、可動シーブに備えられた各挟圧力発生油圧室に供給および排出するオイルの調圧を行うために、ポペット弁などの油圧の漏れを抑制もしくは抑止できる開閉弁を用いた場合、その弁体の開閉によって目標圧を超えることなく各挟圧力発生油圧室をその目標圧まで収束させることが困難となる。
【０００９】
すなわち、図５（ａ）に示すように、ポペット弁などの油圧の漏れを抑制できる開閉弁の開閉制御では、目標圧との差圧に応じた電流を指示して各挟圧力発生油圧室を目標圧に収束させる圧力制御があるが、ポペット弁などの油圧の漏れを抑制できる開閉弁には、目標圧との差圧に応じて弁を開けるための最小電流である開弁電流と、その目標圧との差圧に応じて弁を閉じるための最大電流である閉弁電流がある。
【００１０】
閉弁時はプランジャに掛かるオイルの圧力、摺動抵抗、流体力および磁気の影響などがあるため、開弁電流と閉弁電流との間には、ヒステリシスが存在する。そのため、図５（ａ）および（ｂ）に示すように各挟圧力発生油圧室に対する増圧要求時、開弁電流により目標圧に収束しようとすると、その電流値に対する目標圧との差圧と閉弁電流との関係により目標圧を超えてしまうすなわちオーバーシュートするため、トルク伝達効率が低下してベルトや各プーリなどの耐久性にも悪影響が及ぼされる。
【００１１】
一方、目標圧との差圧に応じた閉弁電流を指示した場合では、開弁電流での制御に比較して弁の開度が小さくなるため、目標圧に収束できるが応答性が低下した状態となり、トルク伝達ができなくなる可能性がある。このようにベルト式無段変速機の制御装置においては、応答性を向上させつつ、各挟圧力発生油圧室を目標圧に収束させるための開閉弁の開閉制御について課題があった。また、このような課題は、ポペット弁などの油圧の漏れを抑制できる開閉弁の開閉を行う油圧制御装置に共通の課題であった。すなわち、ポペット弁などの油圧の漏れを抑制できる開閉弁が備えられ、その上流側と下流側とに油路が連通され、さらに下流側に設けられた油路の開閉弁に連通された一方端とは反対側の他方端に油圧室が連通されるような構成における開閉制御についても油圧室を目標圧に収束させる場合に同様の課題があった。
【００１２】
この発明は上記の技術的課題に着目してなされたものであり、油圧制御装置において油圧室の圧力を目標圧に応答性よく収束させることのできる油圧制御装置を提供することを目的とするものである。
【課題を解決するための手段】
【００１３】
上記の目的を達成するために、請求項１の発明は、開閉弁と、その上流側と下流側とにそれぞれ連通される油路と、下流側に設けられた油路の開閉弁に連通された一方端とは反対側の他方端に連通される油圧室とを備えた油圧制御装置において、前記開閉弁は、前記油圧室に圧油を供給するための増圧用開閉弁と前記油圧室から圧油を排出するための減圧用開閉弁とを有し、増圧する場合には目標圧となるように前記増圧用開閉弁を開弁動作させ、目標圧よりも相対的に低く設定された閾値まで実際の圧力が上昇したのちに閉弁動作させ、減圧する場合には目標圧となるように前記減圧用開閉弁を開弁動作させ、目標圧よりも相対的に高く設定された閾値まで実際の圧力が下降したのちに閉弁動作させることを特徴とするものである。
【００１４】
請求項２の発明は、請求項１の構成に加えて、前記閾値は目標圧に安全率が掛けられたものとなっており、実際の圧力が前記閾値に到達したのちに閉弁動作させる制御を行うことを特徴とする油圧制御装置である。
【００１５】
請求項３の発明は、請求項１または２の構成に加えて、前記減圧する場合の前記閾値は、減圧時の場合に実際の圧力が降下する速度である圧力降下速度と前記減圧用開閉弁の動作速度とから設定されることを特徴とする油圧制御装置である。
【００１６】
請求項４の発明は、請求項１ないし３のいずれかの構成に加えて、前記減圧する場合における実際の圧力の降下度合いが基準値より小さい場合には、前記減圧用開閉弁を閉弁動作させることのみで減圧を行うことを特徴とする油圧制御装置である。
【００１７】
請求項５の発明は、動力が伝達される入力軸に設けられた駆動プーリと、この駆動プーリに対向する位置に備えられた従動プーリと、前記２つのプーリに巻き掛けられ、駆動力源からの出力トルクを伝達するベルトとを備えたベルト式無段変速機を制御するために設けられ、前記各プーリに形成され、油圧により前記ベルトに対して押圧力を付与する油圧室と、該各油圧室に連通される供給排出経路と、この供給排出経路に設けられて、前記油圧室内の油圧を調整する開閉弁とからなるベルト式無段変速機の制御装置において、前記開閉弁は増圧用開閉弁と減圧用開閉弁とを有し、増圧する場合には変速比に応じた目標圧となるように前記増圧用開閉弁を開弁動作させ、目標圧よりも相対的に低く設定された閾値まで実際の圧力が上昇したのちに閉弁動作させ、減圧する場合には変速比に応じた目標圧となるように前記減圧用開閉弁を開弁動作させ、目標圧よりも相対的に高く設定された閾値まで実際の圧力が下降したのちに閉弁動作させることを特徴とするものである。
【００１８】
請求項６の発明は、請求項５の構成に加えて、前記閾値は目標圧に安全率が掛けられたものとなっており、実際の圧力が前記閾値に到達したのちに閉弁動作させる制御を行うことを特徴とするベルト式無段変速機の制御装置である。
【００１９】
請求項７の発明は、請求項５または６の構成に加えて、前記減圧する場合の前記閾値は、減圧時の場合に実際の圧力が降下する速度である圧力降下速度と前記減圧用開閉弁の動作速度とから設定されることを特徴とするベルト式無段変速機の制御装置である。
【００２０】
請求項８の発明は、請求項５ないし７のいずれかの構成に加えて、前記減圧する場合における実際の圧力の降下度合いが基準値より小さい場合には、前記減圧用開閉弁を閉弁動作させることのみで減圧を行うことを特徴とするベルト式無段変速機の制御装置である。
【発明の効果】
【００２１】
請求項１の発明によれば、目標圧よりも相対的に低く設定された閾値が設定されており、増圧する場合もしくは減圧する場合に増圧用開閉弁もしくは減圧用開閉弁を開弁動作させてその閾値に実際の圧力が到達したのちに、閉弁動作させることから、油圧室内の油圧を正確に目標圧を超えることなく油圧室をその目標圧まで収束させることができる。
【００２２】
請求項２の発明によれば、閾値は目標圧に安全率が掛けられたものとなっており、増圧する場合もしくは減圧する場合に増圧用開閉弁もしくは減圧用開閉弁を開弁動作させてその閾値に実際の圧力が到達したのちに、閉弁動作させることから、油圧室内の油圧を正確に目標圧を超えることなく油圧室をその目標圧まで収束させることができる。
【００２３】
請求項３の発明によれば、減圧する場合の閾値は、減圧時の場合に圧力の降下する速度である圧力降下速度と減圧用開閉弁の動作速度とから設定されることから、減圧する場合に減圧用開閉弁を開弁動作させてその閾値に実際の圧力が到達したのちに閉弁動作させて、油圧室内の油圧を正確に目標圧を超えることなく油圧室をその目標圧まで収束させることができる。
【００２４】
請求項４の発明によれば、減圧する場合における実際の圧力の降下度合いが基準値より小さい場合には、減圧用開閉弁の動作を閉弁動作させることのみで減圧を行うことから、減圧する場合に減圧用開閉弁を開弁動作させてその閾値に実際の圧力が到達したのちに閉弁動作させて、油圧室内の油圧を正確に目標圧を超えることなく油圧室をその目標圧まで収束させることができる。
【００２５】
請求項５の発明によれば、目標圧よりも相対的に低く設定された閾値が設定されており、増圧する場合もしくは減圧する場合に増圧用開閉弁もしくは減圧用開閉弁を開弁動作させてその閾値に実際の圧力が到達したのちに、閉弁動作させることから、油圧室内の油圧を正確に目標圧を超えることなく各油圧室をその目標圧を超えることなく油圧室をその目標圧まで収束させることができる。
【００２６】
請求項６の発明によれば、閾値は目標圧に安全率が掛けられたものとなっており、増圧する場合もしくは減圧する場合に増圧用開閉弁もしくは減圧用開閉弁を開弁動作させてその閾値に実際の圧力が到達したのちに、閉弁動作させることから、油圧室内の油圧を正確に目標圧を超えることなく各油圧室をその目標圧まで収束させることができる。
【００２７】
請求項７の発明によれば、減圧する場合の閾値は、減圧時の場合に圧力の降下する速度である圧力降下速度と減圧用開閉弁の動作速度とから設定されることから、減圧する場合に減圧用開閉弁を開弁動作させてその閾値に実際の圧力が到達したのちに閉弁動作させて、油圧室内の油圧を正確に目標圧を超えることなく各油圧室をその目標圧まで収束させることができる。
【００２８】
請求項８の発明によれば、減圧する場合における実際の圧力の降下度合いが基準値より小さい場合には、減圧用開閉弁の動作を閉弁動作させることのみで減圧を行うことから、減圧する場合に減圧用開閉弁を開弁動作させてその閾値に実際の圧力が到達したのちに閉弁動作させて、油圧室内の油圧を正確に目標圧を超えることなく各油圧室をその目標圧まで収束させることができる。
【図面の簡単な説明】
【００２９】
【図１】この発明に係るベルト式無段変速機の制御装置による第１制御例における開弁電流と閉弁電流との関係を表す図（ａ）および両電流による制御のタイムチャートを表す図（ｂ）およびその制御時の目標圧と実圧の時間的変化を表す図（ｃ）である。
【図２】この発明に係るベルト式無段変速機の制御装置による第１制御例における制御装置の制御フローを表す図である。
【図３】この発明に係るベルト式無段変速機の制御装置およびその制御対象となるベルト式無段変速機の構成例を表す模式図である。
【図４】この発明に係るベルト式無段変速機の制御装置の開閉弁の構成例を表す模式図である。
【図５】従来のベルト式無段変速機の制御装置による制御例における開弁電流と閉弁電流との関係を表す図（ａ）および両電流による制御のタイムチャートを表す図（ｂ）である。
【図６】従来のベルト式無段変速機の制御装置による制御例における開弁電流と閉弁電流とによる制御のタイムチャートを表す図（ａ）およびその制御時の目標圧と実圧の時間的変化を表す図（ｂ）である。
【図７】従来のベルト式無段変速機の制御装置による制御例におけるセカンダリシーブ圧とアップシフト変速比との関係を表す図である。
【図８】この発明に係るベルト式無段変速機の制御装置による第２制御例における開弁電流と閉弁電流とによる制御のタイムチャートを表す図（ａ）およびその制御時の目標圧と実圧の時間的変化を表す図（ｂ）である。
【図９】この発明に係るベルト式無段変速機の制御装置による第２制御例における開弁電流と閉弁電流とによる制御のタイムチャートを表す図（ａ）およびその制御時の目標圧と実圧の時間的変化を表す図（ｂ）である。
【図１０】この発明に係るベルト式無段変速機の制御装置による第２制御例における制御装置の制御フローを表す図である。
【発明を実施するための形態】
【００３０】
つぎに、この発明を具体例を参照して説明する。以下に説明する具体例は、この発明に係る油圧制御装置をベルト式無段変速機に適用した一例であり、ベルト式無段変速機の変速比を変化させるための、プーリに設けられた可動シーブをその軸線方向に摺動させる油圧制御を行うものであり、この発明に係る油圧制御装置は、このようなベルト式無段変速機を搭載する車両や航空機、船舶、産業用機械などの各種の分野の機械・装置類に用いることができる。
【００３１】
図３には車両に搭載されているベルト式無段変速機１を対象とした油圧制御装置にこの発明を適用した構成例が示されている。ベルト式無段変速機１は、駆動プーリ２と従動プーリ３とにベルト４を巻き掛けてこれらのプーリ２，３の間でエンジンなどの駆動力源（図示せず）からトルクコンバータ（図示せず）などを介して伝達されるトルクを伝達し、かつ各プーリ２，３に対するベルト４の巻き掛け半径を変化させて、変速比を変化させるように構成されている。具体的には、各プーリ２，３は、固定シーブ５，６とその固定シーブ５，６に対して接近・離隔するように配置された可動シーブ７，８とを備え、それらの固定シーブ５，６と可動シーブ７，８との間にＶ溝状のベルト巻き掛け溝９，１０が形成されるように構成されている。
【００３２】
そして、各プーリ２，３にはそれぞれの可動シーブ７，８をその軸線の方向に前後動させるための油圧アクチュエータ１１，１２が設けられている。この油圧アクチュエータ１１，１２は、各プーリ２，３の可動シーブ７，８の背面に設けられたシリンダとピストンとにより構成される油圧室１３，１４、およびその油圧室１３，１４に連通される、可動シーブ７，８や可動シーブ７，８が嵌合する入出力軸に設けられた油路（いずれも図示せず）により主に構成されている。それらの油圧アクチュエータ１１，１２のうちのいずれか一方、例えば従動プーリ３における油圧アクチュエータ１２には、従動プーリ３がベルト４を挟み付ける挟圧力を発生させる油圧が供給され、また前記油圧アクチュエータ１１，１２のうちの他方、例えば駆動プーリ２における油圧アクチュエータ１１には、ベルト４の巻き掛け半径を変化させて変速を行うための油圧が供給されている。
【００３３】
油圧室１３，１４に供給される油圧は、車両に搭載されているエンジン（図示せず）などの駆動力源によって駆動される油圧ポンプ１５を油圧源としている。また、その油圧ポンプ１５と並列に他の油圧ポンプ、例えば電動ポンプなどを設けてもよい。油圧ポンプ１５は、オイルパン１６に連通されて、そのオイルパン１６からオイル（圧油もしくは圧力流体とも言う）を汲み上げるように構成されている。また、油圧ポンプ１５から吐出した油圧を所定の圧力に調圧する調圧弁（図示せず）が設けられている。この調圧弁は、制御などのための元圧を調圧するためのものである。
【００３４】
そして、その下流側に低油圧供給部（図示せず）が連通されて調圧弁で減圧した圧油が供給されるように構成されている。この低油圧供給部とは、潤滑部や例えば、エンジンなどの駆動力源（図示せず）とベルト式無段変速機１との間に設けられたトルクコンバータに備えられたロックアップ機構のロックアップ油圧を制御するための制御弁（Ｌ／Ｕコントロールバルブ）（ともに図示せず）などである。なお、この制御弁はロックアップクラッチに対する油圧の供給方向やその圧力を制御するためのものであり、したがって制御弁は相対的に低い油圧で動作するようになっている。
【００３５】
一方、油圧ポンプ１５の吐出口は、高圧供給油路１７を介して逆止弁１８に連通されている。また、逆止弁１８は、高圧供給油路１７を介してアキュムレータ（蓄圧器）１９に連通されている。逆止弁１８は、油圧ポンプ１５からアキュムレータ１９に向けて圧油が流れる場合に開き、これとは反対方向の圧油の流れを阻止するように閉弁する一方向弁である。アキュムレータ１９は、蓄圧室に弾性体で押圧されたピストンや弾性膨張体（いずれも図示せず）などを容器内に収容し、その弾性力以上の圧力で圧油を蓄えるように構成されている。そして、このアキュムレータ１９から高油圧供給部に圧油を供給するように構成されている。この高油圧供給部とは、前述した駆動プーリ２における油圧アクチュエータ１１、および従動プーリ３における油圧アクチュエータ１２であり、したがって、この油圧アクチュエータ１１，１２の油圧室１３，１４は、高圧供給油路１７を介してアキュムレータ１９と連通されている。
【００３６】
油圧室１３，１４と油圧ポンプ１５とは、前述した逆止弁１８、アキュムレータ１９および開閉弁２０，２１，２２，２３を介して連通されている。すなわち、アキュムレータ１９は、高圧供給油路１７を介して開閉弁（増圧用開閉弁）２０，２２に連通されている。アキュムレータ１９に連通された端部とは反対側の高圧供給油路１７の端部は、分岐されて、その分岐された一方は駆動プーリ側の増圧用開閉弁２０に連通されて、他方は従動プーリ側の増圧用開閉弁２２に連通されている。
【００３７】
また、この増圧用開閉弁２０，２２は、油圧室１３，１４へ圧油を給排するための供給排出油路２４，２５にそれぞれ連通されている。したがって、供給排出油路２４，２５は増圧用開閉弁２０，２２に連通されている端部とは反対側の端部が、それぞれ油圧室１３，１４へと連通されている。さらに、供給排出油路２４，２５は、増圧用開閉弁２０，２２と油圧室１３，１４との間で連通して分岐されて、その分岐された端部が、それぞれ減圧用開閉弁２１，２３へと連通されている。この減圧用開閉弁２１，２３は排出油路２６，２７を介してオイルパン１６に連通されて、オイルを吐出するように構成されている。
【００３８】
そして、油圧室１３，１４へは、油圧ポンプ１５から逆止弁１８、アキュムレータ１９を介して圧油が増圧用開閉弁２０，２２にそれぞれ送られる構成となっている。この増圧用開閉弁２０，２２は、後述する電子制御装置３０によって電気的に制御されて開閉されることにより、油圧室１３，１４に対して圧油を供給し、また圧油の供給を遮断するように構成されている。また、油圧室１３，１４からは、供給排出油路２４，２５が分岐されて連通する減圧用開閉弁２１，２３に圧油がそれぞれ送られる構成となっている。この減圧用開閉弁２１，２３は、後述する電子制御装置３０によって電気的に制御されて開閉されることにより、油圧室１３，１４から圧油を排出し、また圧油の排出を遮断するように構成されている。なお、上述した開閉弁２０，２１，２２，２３には、コイル（ソレノイド）が設けられて、それに流される電流によって開閉状態が調整可能となっている。
【００３９】
また、増圧用開閉弁２０，２２と減圧用開閉弁２１，２３とは、制御電流によって開閉状態が設定できる構成となっている。この制御電流は、各種センサ例えば運転者のアクセルやブレーキなどの操作状態を検出するセンサ、車両の走行状態を検出するセンサ、駆動力源の回転数やトルクなどを検出するセンサ、ベルト式無段変速機１の変速比などを検出するセンサおよびベルト式無段変速機１の供給排出油路２４，２５に設けられた圧力センサ２８，２９などから、その測定値の電気信号が送られる電子制御装置３０によって判断されて開弁電流もしくは閉弁電流となる電流値が設定される。電子制御装置３０は、変速電子制御装置、車両電子制御装置および油圧電子制御装置（ともに図示せず）などから構成されており、これらが連係してその制御電流の判断を行う構成となっている。また、電子制御装置３０は、前述したような種々のセンサの電気信号からベルト式無段変速機１の変速状態を判断および制御するものである。
【００４０】
この電子制御装置３０によって制御される開閉弁２０，２２は、変速制御用バルブであり、図示しない電源を備えたソレノイドが設けられたものである。また、開閉弁２１，２３は、ベルト挟圧力用バルブであり、図示しない電源を備えたソレノイドが設けられたものである。これら開閉弁２０，２１，２２，２３は、閉弁状態において油圧の漏れが生じないように構成されたバルブであり、ポペット弁や逆止弁などによって構成されている。図４には、そのポペット弁の一例が示されており、先端部がテーパ状もしくは半球状に形成された弁体３１と、その弁体３１が押し付けられる弁座シート部３２と、弁体３１が取り付けられたプランジャ（アーマチュアとも言う）３３と、弁体３１を弁座シート部３２に向けて押圧するスプリング３４と、プランジャ３３をスプリング３４の弾性力に抗して弁座シート部３２とは反対方向に引き戻す電磁コイル３５とを備えている。
【００４１】
したがって図４に示す構成において、電磁コイル３５に通電しないすなわちＯＦＦ状態では、弁体３１がスプリング３４のバネ力によって弁座シート部３２に押し付けられるので、入力ポート３６と出力ポート３７との連通状態が遮断される。また反対に、電磁コイル３５に通電するすなわちＯＮ状態では、弁体３１がプランジャ３３と共に電磁コイル３５の磁界による吸引力によってバネ力に抗して弁座シート部３２から離れるように引き戻されるので、入力ポート３６と出力ポート３７とが連通する。したがって、図３において、この図４に示したポペット弁が開閉弁２０，２１，２２，２３として高圧供給油路１７と供給排出油路２４，２５とに連通される。そして、高圧供給油路１７から供給排出油路２４，２５への圧油の供給が行われ、また、供給排出油路２４，２５から排出油路２６，２７への排油が行われる構成となっている。
【００４２】
上述したベルト式無段変速機１を対象とした油圧制御装置の作用について次に説明する。油圧ポンプ１５はエンジンなどの駆動力源に動力伝達可能に連結されているので、その駆動力源が回転している場合には油圧ポンプ１５も同様に回転して油圧を発生する。その駆動力源の回転は、燃料などのエネルギー源が供給されて自律回転している場合と、燃料などのエネルギー源の供給を止めて車両の走行慣性力で強制的に回転させられている場合のいずれでも生じる。すなわち、駆動力源の駆動時とエンジンブレーキ状態の被駆動時とのいずれであっても油圧ポンプ１５が回転して油圧を発生する。その圧力および油量は、油圧ポンプ１５の仕様、回転数ならびにトルクに応じたものとなる。こうして発生した油圧は、一方で、前記調圧弁（図示せず）によって設計上、予め定めた低油圧に調圧された後、前記潤滑部や制御弁（Ｌ／Ｕコントロールバルブ）に供給される。
【００４３】
他方、油圧ポンプ１５は駆動力源の動作状態に応じた油圧を発生するので、急加速時や大きいエンジンブレーキ力を生じさせている場合などにおいては、油圧ポンプ１５の吐出圧が高くなる。このような場合に生じた高油圧は、逆止弁１８を押し開いてアキュムレータ１９に供給される。また、逆止弁１８は、油圧ポンプ１５の吐出圧がアキュムレータ１９での油圧より低い場合に閉じるから、アキュムレータ１９に供給された高油圧はここに蓄えられることになる。なお、アキュムレータ１９に蓄えられる油圧は、ベルト式無段変速機１で必要する最高圧力より高い油圧である。また、油圧ポンプ１５の代わりに電動ポンプをしてもよく、この場合は、アキュムレータ１９の蓄圧量に応じて間欠駆動させて蓄圧する。
【００４４】
ベルト式無段変速機１の伝達トルク容量は、入力されたトルクを十分に伝達できる容量に制御され、これは従動プーリ３の油圧アクチュエータ１２に供給される油圧に応じた挟圧力によって設定される。より具体的には、電子制御装置３０によりアクセル開度やスロットル開度などに基づいて求められる要求駆動力に応じて挟圧力が制御され、要求駆動力が大きい場合には、従動プーリ３の油圧アクチュエータ１２に供給される油圧が高くなるように制御される。その制御は、この具体例における油圧制御装置では、従動プーリ３の油圧アクチュエータ１２に連通する増圧用開閉弁２２を開弁し、アキュムレータ１９からその油圧アクチュエータ１２に油圧を供給することにより行われる。この増圧用開閉弁２２の開閉制御は、従動プーリ３の油圧アクチュエータ１２における目標圧力（あるいは目標挟圧力）と、その油圧アクチュエータ１２における実際の油圧とに基づいて行われる。この実際の油圧は、供給排出油路２５に設けられた圧力センサ２９もしくは油圧アクチュエータ１２に設けられた実際の油圧を検出するセンサ（図示せず）により測定される。
【００４５】
また、ベルト式無段変速機１に対する入力トルクの低下に基づいて挟圧力を低下させる場合、従動プーリ３の油圧アクチュエータ１２に連通されている減圧用開閉弁２３を開弁動作させることにより行う。すなわち、その電磁コイル３５に通電して弁体３１を弁座シート部３２から離隔させ、前記油圧アクチュエータ１２をドレン部すなわちここではオイルパン１６に連通させる。その減圧用開閉弁２３に対する通電制御も、増圧用開閉弁２２と同様に、従動プーリ３の油圧アクチュエータ１２における目標圧力（あるいは目標挟圧力）と、その油圧アクチュエータ１２における実際の油圧とに基づいて行うことができる。
【００４６】
さらに、ベルト式無段変速機１による変速比は、アクセル開度などの駆動要求量、車速もしくはトルクコンバータのタービン回転数などに基づいて電子制御装置３０に備えられた変速マップから求められる。そして、駆動プーリ２の溝幅が、目標とする変速比となるように制御される。その制御は、駆動プーリ２における油圧アクチュエータ１１に対して圧油を給排することにより行われ、具体的には、増圧用開閉弁２０および減圧用開閉弁２１を開閉することにより行われる。例えば、アップシフトするべく溝幅を狭くする（ベルトの巻き掛け半径を大きくする）場合には、増圧用開閉弁２０が開制御されて油圧アクチュエータ１１に対して圧油が供給される。また反対にダウンシフトするべく駆動プーリ２の溝幅を広くする（ベルトの巻き掛け半径を小さくする）場合には、減圧用開閉弁２１が開制御されて油圧アクチュエータ１１から排圧される。
【００４７】
このように変速比を制御する増圧用開閉弁２０および減圧用開閉弁２１の開閉制御は、駆動プーリ２を構成している可動シーブ７のストローク量や、エンジン回転数もしくは入力回転数と出力回転数との比である実際の変速比と目標変速比との比較結果、あるいは各プーリ２，３における油圧アクチュエータ１１，１２の油圧の比較結果に基づいて行うことができる。
【００４８】
そして、アクセル開度および車速がほぼ一定に維持される定常走行状態では、変速比および挟圧力を一定に維持することになる。その場合、ベルト式無段変速機１についての各増圧用開閉弁２０，２２および減圧用開閉弁２１，２３をＯＦＦ状態に制御して高圧供給油路１７から供給排出油路２４，２５への圧油の供給と供給排出油路２４，２５から排出油路２６，２７への排油とが停止すなわち各油圧アクチュエータ１１，１２に圧油を封じ込められる。各増圧用開閉弁２０，２２および減圧用開閉弁２１，２３からの圧油の漏洩は生じないから、アキュムレータ１９に蓄えた油圧が低下したり、あるいは各油圧アクチュエータ１１，１２の圧力を維持するべくアキュムレータ１９から油圧を継続して供給したりする必要がなく、したがって圧油の漏洩によるエネルギ損失が生じない。なお、圧油の漏洩が生じないことは、各増圧用開閉弁２０，２２および減圧用開閉弁２１，２３が開状態に制御されている場合であっても同様である。
【００４９】
ここで、この発明に係るベルト式無段変速機１を対象とした油圧制御装置の第１制御例について説明する。図１（ａ）〜（ｃ）に前述した電子制御装置３０による開弁電流と閉弁電流との関係、開弁電流と閉弁電流との制御タイムチャートおよび目標圧と実際の圧力（実圧）の時間的変化が示されている。この発明で制御の直接的な対象となる開閉弁２０，２１，２２，２３は、閉弁状態において油圧の漏れが生じないように構成されたポペット弁や逆止弁などによって構成されており、上述した課題で説明したとおり、この種のポペット弁は、開弁電流と閉弁電流とにヒステリシスが存在する。そのため、この第１制御例では、必要最小挟圧力とこれより通常は大きく設定される目標圧との間にその値が設定された閾値を設けて、開弁電流から閉弁電流へと電流値を変化させるタイミングをこの閾値に設定して目標圧に収束させることから、応答性よく目標圧に正確に収束させるものである。
【００５０】
図１（ａ）に示すように、高圧供給油路１７と供給排出油路２４，２５との目標差圧、言い換えると入力ポート３６と出力ポート３７との目標差圧に応じた開弁電流と閉弁電流とが設定される。この開弁電流と閉弁電流とは、前述のとおりヒステリシスが存在する。図１（ｂ）に示すように、この開弁電流を圧力値が閾値を超えるタイミングで閉弁電流に切り替える制御を行う。この閾値は、挟圧制御における安全率（セーフティファクター）が掛けられて設定される。ここで、このセーフティファクターＳＦについてさらに詳しく説明する。ベルト式無段変速機１の目標圧には、入力トルクに応じた必要挟圧力の他に入力トルクのばらつきや外乱入力時などのファクター（要因）を想定して、所定の安全値を上乗せするための所定の安全率が掛けられた圧力値とするためのセーフティファクターＳＦが設定されている。この第１制御例ではこのセーフティファクターＳＦを‘１’に設定した時が必要最小圧力となる。
【００５１】
図１（ｃ）に示すように、目標圧をＳＦ＝αに設定した場合、開弁電流と閉弁電流との切り替えタイミングとなる閾値をＳＦ＝β（βは正の値）に設定すると、ＳＦの大きさには、次の関係式（１）が成り立つ。
１＜β＜α・・・式（１）
すなわち、閾値におけるセーフティファクターＳＦ＝βは、必要最小挟圧力におけるセーフティファクターＳＦ＝１より大きく、目標圧におけるＳＦ＝αより小さい値となる。
【００５２】
そして、制御された実際の圧力を示す曲線は、圧力値が閾値（ＳＦ＝β）における値となったタイミングで開弁電流から閉弁電流へと電流値を変化されて目標圧に収束する。このような圧力制御が、開閉弁２０，２１，２２，２３に対して行われて、ベルト式無段変速機１は所定の変速比に変化され、挟圧力が維持される制御が行われる。つぎに、さらに、この制御についての具体的な制御フローを用いて説明する。また、この制御フローで説明される制御ルーチンが電子制御装置３０により所定時間毎に動作して油圧制御の判断がなされる。
【００５３】
図２に示すように、まず、ステップＳ１において、目標圧ＰＴＧＴと実際の圧力である実圧ＰＡＣＴとの差すなわち目標圧ＰＴＧＴから実圧ＰＡＣＴが減じられて、その値が所定値γ（γは正の値）よりも大きいか否かが判定される。すなわち、ここでは増圧要求があるか否かが判断される。この所定値γは、上記に示したベルト式無段変速機１の油圧制御装置が油圧を封入するシステムであることから設定される。すなわち、ある程度の増圧要求がなされてから、増圧を行うようにこの所定値γが設定されている。ただし、この所定値γは、トルク伝達が可能なように次の式（２）の関係を満たす。
γ＜（α−１）×ＰＡＣＴ・・・式（２）
【００５４】
このステップＳ１で否定の判断がされた場合は、増圧要求がないと判断されてリターンされる。ステップＳ１で肯定の判断がされた場合すなわち増圧要求があると判断された場合は、目標差圧に対応した開弁電流（目標差圧対応開弁電流）の出力が開始される（ステップＳ２）。つぎに、ステップＳ３において、実圧ＰＡＣＴが閾値である‘ＰＴＧＴ×β／α’より大きいか否かすなわち実圧ＰＡＣＴが閾値を超えたか否かが判断される。すなわち、実圧ＰＡＣＴが目標圧のβ／αである閾値に到達したか判断される。ステップＳ３で否定の判断がされた場合すなわち実圧ＰＡＣＴが閾値を超えていない場合は、未だ開弁電流での増圧が必要であると判断されてステップＳ２に戻される。一方、ステップＳ３で肯定の判断がされた場合すなわち実圧ＰＡＣＴが閾値を超えた場合は、目標差圧に対応した閉弁電流（目標差圧対応閉弁電流）の出力が開始される（ステップＳ４）。そして、目標圧に実際の圧力が到達すると目標差圧対応閉弁電流の出力が終了して、その目標圧に収束してベルト式無段変速機１は所定の挟圧力に維持される。上記に示した第１制御例は増圧時の制御であるが、減圧時の制御においても上述のように閾値を設けて目標圧に到達する前の閾値を超えたタイミングで開弁電流から閉弁電流へと切り替える制御を行う。
【００５５】
このようにこの第１制御例の制御では、最初に目標差圧に対応した開弁電流に閾値まで応答性よく圧力を制御して、その油圧により可動シーブ７，８をその軸線方向に摺動させて変速をおこなうので、変速応答性がよく所定の変速比に制御してトルクを伝達できる。また、目標圧に応じた閾値を設定して、その閾値まで目標差圧に対応した開弁電流を流し、その後、目標差圧に対応した閉弁電流を流すことによって、前述のように開弁電流と閉弁電流とにヒステリシスが存在する場合であっても、増圧時に目標圧をオーバーシュートせず、収束できる。そのため、目標圧を超えてしまうことによるトルク伝達効率の低下およびベルト式無段変速機１のベルト４や各シーブ５，６，７，８などの各要素の耐久性の低下を回避することができる。
【００５６】
ここでさらに、この発明に係るベルト式無段変速機１を対象とした油圧制御装置の第２制御例について説明する。なお、この第２制御例についての説明では、上述した第１制御例と同様の符号および記号についてはそのまま記載して、その説明を省略する。図６（ａ）、（ｂ）に前述した電子制御装置３０による減圧時の開弁電流と閉弁電流との制御タイムチャートおよび目標圧と実際の圧力の時間的変化が示されている。減圧を行う場合、上述の第１制御例で説明したとおり、図６（ａ）、（ｂ）に示すように閾値（ＳＦ＝δ（δは正の値））を設けてその閾値（ＳＦ＝δ）を超えたタイミングで開弁電流から閉弁電流へと切り替えて目標圧（ＳＦ＝α）に収束させる制御は行える。この場合、制御の応答性は向上できるが、増圧の時とは異なり、減圧時は油圧が必要以上に低下するアンダーシュートが惹き起こされるおそれがある。アンダーシュートが惹き起こされると、駆動プーリ２から従動プーリ３へのトルク伝達ができなくなる可能性がある。したがって、増圧時にはオーバーシュートが発生しても、トルク伝達の観点からは安全方向であるが、減圧時には安全方向でないため、開弁電流から閉弁電流へと切り替える際には注意しなければならない。
【００５７】
また、制御の応答性よりも収束性を重視して、閉弁電流のみで制御しようする場合、減圧要求時はほぼアップシフト時であるため、図７に示すように従動プーリ３の油圧アクチュエータ１２の油圧が高い状態が維持されているとその油圧アクチュエータ１２の油圧に応じた矢印Ａの方向のシフト線図が設定されてアップシフトへの変速速度が遅くなり、エンジンの燃費効率の良い最適運転点を外してしまう。すなわち、アップシフトが遅れることにより変速比を高速側に変化されないため、エンジンの効率に影響が及ぼされる。この発明に係るベルト式無段変速機１を対象とした油圧制御装置の第２制御例は、このような減圧時のアンダーシュートを回避するものであり、減圧時もしくはアップシフト時の変速速度が考慮されたものとなっている。
【００５８】
この第２制御例では、図８（ａ）、（ｂ）に示すように、ある程度大きさの減圧要求が起きた場合、すなわち所定の基準値を設けて、その基準値よりも減圧要求が大きい場合、圧力値が閾値（ＳＦ＝ζ（ζは正の値））を超えるタイミングで開弁電流から閉弁電流へと切り替える制御を行う。また、この閾値（ＳＦ＝ζ）は、実際の圧力値の圧力降下速度と減圧用開閉弁２１，２３の動作速度すなわち減圧用開閉弁２１，２３の電流変化に対する応答速度とに応じて設定され、油圧のアンダーシュートが起こらないように設定する。
【００５９】
一方、減圧要求が微少である場合、すなわち所定の基準値を設けて、その基準値よりも減圧要求が小さい場合、圧力値が閾値（ＳＦ＝ζ）を超えるタイミングで開弁電流から閉弁電流へと切り替える制御では、応答が速すぎてアンダーシュートを惹起されやすいため、図９（ａ）、（ｂ）に示すように、アンダーシュート抑制防止のために弁開度が小さい閉弁電流のみの制御を行う。この場合、閉弁電流のみで弁開度が小さいため応答が遅いため、特に閾値を設定した制御は行われない。つぎに、さらに、この制御についての具体的な制御フローを用いて説明する。また、この制御フローで説明される制御ルーチンが電子制御装置３０により所定時間毎に動作して油圧制御の判断がなされる。
【００６０】
図１０に示すように、まず、ステップＳ１１において、目標圧ＰＴＧＴと実際の圧力である実圧ＰＡＣＴとの差すなわち目標圧ＰＴＧＴから実圧ＰＡＣＴが減じられて、その値が所定値−γよりも小さいか否かが判定される。すなわち、ここでは減圧要求があるか否かが判断される。この所定値−γは、第１制御例と同様に上記に示したベルト式無段変速機１の油圧制御装置が油圧を封入するシステムであることから設定される。すなわち、ある程度の減圧要求がなされてから、減圧を行うようにこの所定値−γが設定されている。ただし、この所定値−γは、トルク伝達が可能なように次の式（３）の関係を満たす。
−γ＞（α−１）×ＰＡＣＴ・・・式（３）
【００６１】
このステップＳ１１で否定の判断がされた場合は、減圧要求がないと判断されてリターンされる。ステップＳ１１で肯定の判断がされた場合すなわち減圧要求があると判断された場合は、目標圧ＰＴＧＴと実際の圧力である実圧ＰＡＣＴとの差すなわち目標圧ＰＴＧＴから実圧ＰＡＣＴが減じられて、その値が基準値−ε（εは正の値）よりも小さいか否かが判定される（ステップＳ１２）。すなわち、ここでは減圧要求が基準値−εをマイナスの方向に超えたか否かが判断される。基準値−εは減圧時もしくはアップシフト時の変速速度と、エンジンの燃費効率の良い最適運転点からずれててよい許容時間とから設定される。
【００６２】
このステップＳ１２で否定の判断がされた場合すなわち減圧要求が基準値−εを超えない場合は、目標差圧に対応した閉弁電流（目標差圧対応閉弁電流）の出力が開始される（ステップＳ１５）。そして、目標圧に実際の圧力が到達すると目標差圧対応閉弁電流の出力が終了して、その目標圧に収束してベルト式無段変速機１は所定の挟圧力に維持されてリターンされる。一方、ステップＳ１２で肯定の判断がされた場合すなわち減圧要求が基準値−εを超えた場合は、目標差圧に対応した開弁電流（目標差圧対応開弁電流）の出力が開始される（ステップＳ１３）。
【００６３】
つぎに、ステップＳ１４において、実圧ＰＡＣＴが閾値である‘ＰＴＧＴ×ζ／α’より小さいか否かすなわち実圧ＰＡＣＴが閾値を超えたか否かが判断される。すなわち、実圧ＰＡＣＴが目標圧にζ／αが掛けられた閾値に到達したか判断される。ステップＳ１４で否定の判断がされた場合すなわち実圧ＰＡＣＴが閾値を超えていない場合は、未だ開弁電流での減圧が必要であると判断されてステップＳ１３に戻される。一方、ステップＳ１４で肯定の判断がされた場合すなわち実圧ＰＡＣＴが閾値を超えた場合は、目標差圧に対応した閉弁電流（目標差圧対応閉弁電流）の出力が開始される（ステップＳ１５）。そして、目標圧に実際の圧力が到達すると目標差圧対応閉弁電流の出力が終了して、その目標圧に収束してベルト式無段変速機１は所定の挟圧力に維持されてリターンされる。
【００６４】
このようにこの第２制御例の制御では、所定の基準値−εを設けて、その基準値−εよりも大きいか小さいかにより、制御を異ならせている。この基準値−εは、アンダーシュート防止の観点から、減圧時もしくはアップシフト時の変速速度とエンジンの燃費効率の良い最適運転点からずれててよい許容時間とから設定される。そのため、油圧がアンダーシュートとなることが抑止されて、アンダーシュートが惹き起こされることによる駆動プーリ２から従動プーリ３へのトルク伝達ができなくなる状態を回避することができる。また、ある程度大きさの減圧要求が起きた場合であっても、圧力値が閾値（ＳＦ＝ζ（ζは正の値））を超えるタイミングで応答の速い開弁電流から閉弁電流へと切り替える制御を行うため、アップシフト変速速度の低下を抑制でき、エンジンの燃費効率の良い最適運転点に速く到達することができる。
【００６５】
上記の構成例では、油圧制御装置の制御対象を車両に搭載されているベルト式無段変速機１としたが、この発明は、ポペット弁などの油圧の漏れを抑制できる開閉弁が備えられ、その上流側と下流側とに油路が連通され、さらに下流側に設けられた油路の開閉弁に連通された一方端とは反対側の他方端に油圧室が連通されるような構成における開閉制御についても油圧室を目標圧に収束させる制御に関するものであり、そのため、その制御対象はベルト式無段変速機に限定されず、例えばトロイダル式無段変速機やその他の車両に搭載される動力伝達装置、さらには、一般的な機器や車両、航空機、船舶、産業用機械などの各種の分野の機械・装置類をその制御対象とすることができる。
【符号の説明】
【００６６】
１３，１４…油圧室、  ２０，２２…増圧用開閉弁、  ２１，２３…減圧用開閉弁。
【図１】
2011163393.tif 000003
【図２】
2011163393.tif 000004
【図３】
2011163393.tif 000005
【図４】
2011163393.tif 000006
【図５】
2011163393.tif 000007
【図６】
2011163393.tif 000008
【図７】
2011163393.tif 000009
【図８】
2011163393.tif 000010
【図９】
2011163393.tif 000011
【図１０】
2011163393.tif 000012